(57)【特許請求の範囲】
【請求項１】
箱型の筐体の内部に、送風機と、当該送風機を囲む室内熱交換器と、当該室内熱交換器を下方から覆うドレンパンとを備え、前記ドレンパンの中央の吸込み通路から吸い込んだ空気を前記室内熱交換器で熱交換し、前記室内熱交換器の下流の送風路を通して吹き出す天井埋込型室内ユニットにおいて、
ドレンパンの下面に支持板を設置し、支持板は、電装箱を支持する電装箱支持用リブを備え、
前記電装箱支持用リブは、前記支持板の外辺とほぼ平行に延在する側面支持枠と、前記側面支持枠の端部から前記支持板の外方に向かって延在する端面支持枠と、前記支持板の内周面から前記側面支持枠に向かって延在する補強リブと、から構成されており、
前記補強リブと前記支持板の下面とにより前記電装箱の上面を支持するとともに、前記側面支持枠および前記端面支持枠により前記電装箱の周囲を支持するように構成されていることを特徴とする天井埋込型室内ユニット。
【請求項２】
前記支持板は、前記ドレンパンを貫通した電源配線および信号配線を前記電装箱に案内する電源線用リブおよび信号線用リブをそれぞれ備えていることを特徴とする請求項１に記載の天井埋込型室内ユニット。
【請求項３】
前記電装箱の内側には電装板が収容され、前記電装板は、電子回路基板が取り付けられる部品部と、電源端子および信号端子が設置される端子部とを備えていることを特徴とする請求項１または請求項２に記載の天井埋込型室内ユニット。
【請求項４】
前記端子部の近傍に、外部電源端子および外部信号端子がそれぞれ配置されていることを特徴とする請求項３に記載の天井埋込型室内ユニット。
【請求項５】
前記電子回路基板の一側に、スイッチングトランスが配置され、前記電子回路基板の他側に信号配線が配置されていることを特徴とする請求項３または請求項４に記載の天井埋込型室内ユニット。
【請求項６】
前記電装板の前記信号配線の配置側に、前記信号配線を保持する係止部材が設けられていることを特徴とする請求項５に記載の天井埋込型室内ユニット。
【請求項７】
前記ドレンパンは、ドレン水通路の位置が最も高くなる最高地点と、当該ドレン水通路の位置が最も低くなる最低地点とを備え、前記ドレン水通路の最高地点に対応する位置に、前記電装箱が配置されていることを特徴とする請求項１から請求項６のいずれか一項に記載の天井埋込型室内ユニット。
【発明の詳細な説明】
【技術分野】
【０００１】
本発明は、天井埋込型室内ユニットに関する。
【背景技術】
【０００２】
従来、天井埋込型室内ユニットにおいて、筐体内に送風機、熱交換器および熱交換器の下面を覆う発泡スチロール製のドレンパンを収納し、筐体の下面に化粧パネルを取り付け、化粧パネルとドレンパンとの間に電装箱を備え、発泡スチロール製のドレンパンに電装箱内の端子板から延びる電源ケーブルの配線経路を形成し、配線経路上に延在する難燃性の防炎部を電装箱に一体に形成するようにしたものがある（例えば、特許文献１参照）。
【先行技術文献】
【特許文献】
【０００３】
【特許文献１】特開２０１０−１５９９１０号公報
【発明の概要】
【発明が解決しようとする課題】
【０００４】
前記従来の技術では、電装箱は、従来の取り付けねじに加え、防炎部の取り付けねじによってドレンパンに固定されるので、電装箱をドレンパンに堅固に固定することが可能である。
しかしながら、天井埋込型室内ユニットが天井に設置された状態で、電装箱の交換などを行う場合、電装箱の位置決めが困難であり、作業性が悪いという問題がある。
また、電装箱には、電子回路基板が収容されるものであるが、電子回路基板には電源配線および信号配線が接続されるのが一般的である。このとき、電源配線と信号配線を並べて配置してしまうと、信号配線がノイズの影響を受けてしまうという不都合がある。さらに、電子回路基板に搭載される電子部品によっては、同様に信号配線にノイズを与えてしまうことがあるという問題を有している。
本発明は、前記した事情に鑑みてなされたものであり、電装箱を効率よく設置することができるとともに、信号配線がノイズの影響を受けることを防止することができる天井埋込型室内ユニットを提供することを目的とするものである。
【課題を解決するための手段】
【０００５】
前記目的を達成するため、本発明は、箱型の筐体の内部に、送風機と、当該送風機を囲む室内熱交換器と、当該室内熱交換器を下方から覆うドレンパンとを備え、前記ドレンパンの中央の吸込み通路から吸い込んだ空気を前記室内熱交換器で熱交換し、前記室内熱交換器の下流の送風路を通して吹き出す天井埋込型室内ユニットにおいて、ドレンパンの下面に支持板を設置し、支持板は、電装箱を支持する電装箱支持用リブを備え、前記電装箱支持用リブは、前記支持板の外辺とほぼ平行に延在する側面支持枠と、前記側面支持枠の端部から前記支持板の外方に向かって延在する端面支持枠と、前記支持板の内周面から前記側面支持枠に向かって延在する補強リブと、から構成されており、前記補強リブと前記支持板の下面とにより前記電装箱の上面を支持するとともに、前記側面支持枠および前記端面支持枠により前記電装箱の周囲を支持するように構成されていることを特徴とする。
【０００６】
前記構成において、前記支持板は、前記ドレンパンを貫通した電源配線および信号配線を前記電装箱に案内する電源線用リブおよび信号線用リブをそれぞれ備えていることを特徴とする。
【０００７】
前記構成において、前記電装箱の内側には電装板が収容され、前記電装板は、仕切板で仕切られた電子回路基板が取り付けられる部品部と、電源端子および信号端子が設置される端子部とを備えていることを特徴とする。
【０００８】
前記構成において、前記端子部の近傍に、外部電源端子および外部信号端子がそれぞれ配置されていることを特徴とする。
【０００９】
前記構成において、前記電子回路基板の一側に、スイッチングトランスが配置され、前記電子回路基板の他側に信号配線が配置されていることを特徴とする。
【００１０】
前記構成において、前記電装板の前記信号配線の配置側に、前記信号配線を保持する係止部材が設けられていることを特徴とする。
【００１１】
前記構成において、前記ドレンパンは、ドレン水通路の位置が最も高くなる最高地点と、当該ドレン水通路の位置が最も低くなる最低地点とを備え、前記ドレン水通路の最高地点に対応する位置に、前記電装箱が配置されていることを特徴とする。
【発明の効果】
【００１２】
本発明の天井埋込型室内ユニットによれば、電装箱支持用リブにより電装箱の位置決めを行うことができ、電装箱の設置作業を効率よく行うことができる。また、電源線用リブおよび信号線用リブにより、電源配線および信号配線を分離した状態で案内することができ、電源配線により信号配線がノイズの影響を受けることを防止することができる。
【図面の簡単な説明】
【００１３】
【図１】本発明の実施の形態に係る空気調和装置の天井埋込型室内ユニットの内部構造を示す断面図である。
【図２】天井埋込型室内ユニットの斜視図である。
【図３】化粧パネルを取り外した状態で天井埋込型室内ユニットを下方側から見た平面図である。
【図４】図３の電装箱を取り外した状態を示す平面図である。
【図５】図３のＩＶ−ＩＶ断面図である。
【図６】電装箱部分の斜視図である。
【図７】図３のＶ−Ｖ断面図である。
【発明を実施するための形態】
【００１４】
以下、本発明の一実施の形態を、図面を参照して説明する。
図１は、本発明の実施の形態に係る空気調和装置の天井埋込型室内ユニット１０の内部構造を示す断面図である。図２は、天井埋込型室内ユニット１０の斜視図である。
なお、以下の説明において、上下、内外とは、天井に設置された天井埋込型室内ユニット１０を基準として説明している。また、空調後の空気が吹き出される空間を被調和室としている。
【００１５】
天井埋込型室内ユニット１０は、建屋の天井１１と天井１１の下方に設置された天井板１２との間の天井空間１３に設置される。天井埋込型室内ユニット１０は、室内ユニット本体１４と、室内ユニット本体１４の下側開口を覆う化粧パネル３０とを備えている。
室内ユニット本体１４は、下面の略全面が開口した略箱型の筐体１５を備える。室内ユニット本体１４は、筐体１５の内部に、発泡スチロール製の断熱部材１６と、室内熱交換器１７と、送風機１８と、室内熱交換器１７のドレン水を受けるドレンパン１９と、送風機１８に吸い込まれる空気を整流するベルマウス２０とを備える。
筐体１５の外側面の角部には、吊り用金具２１が取り付けられている。室内ユニット本体１４は、天井１１から垂れ下がる吊りボルト２２に吊り用金具２１が連結されることで、天井１１から吊り下げられた状態で設置される。
【００１６】
化粧パネル３０は、室内ユニット本体１４の下面の開口を覆うように平面視で略四角形の板状に形成されている。
化粧パネル３０の中央部分には、ベルマウス２０に連通するパネル側吸い込み口３１が形成されている。化粧パネル３０には、パネル側吸い込み口３１を覆う吸い込みグリル３２が着脱可能に取り付けられている。吸い込みグリル３２の室内ユニット本体１４側には、空気中の塵などを除去するためのフィルタ３３が設けられている。
【００１７】
化粧パネル３０のパネル側吸い込み口３１の外側であって化粧パネル３０の外周部の各辺に沿った位置には、空調後の空気を被調和室に送るパネル側吹出口３４がそれぞれ形成されている。すなわち、パネル側吹出口３４は、平面視で略四角形の化粧パネル３０の各辺に沿うように設けられており、パネル側吹出口３４から４方向に空気が吹き出される。
パネル側吹出口３４には、吹出方向を調整可能なフラップ３５（図２）がそれぞれ設けられている。
【００１８】
図３は、化粧パネル３０を取り外した状態で天井埋込型室内ユニット１０を下方側から見た平面図である。図４は、図３の電装箱を取り外した状態を示す平面図である。図５は、図３のＩＶ−ＩＶ断面図である。
断熱部材１６は、筐体１５の側板１５ａおよび天板１５ｂの内面に設けられており、筐体１５における結露の発生を防止する。
【００１９】
送風機１８は、ファンモータ２３と、遠心ファン２４とを備えて構成される。ファンモータ２３は、下方に延びる回転軸２３ａを備え、遠心ファン２４は、回転軸２３ａに固定される。ファンモータ２３は、平面視において天井埋込型室内ユニット１０の略中央に配置され、筐体１５の天板１５ｂに固定されている。
遠心ファン２４は、回転軸２３ａに固定される円板状の主板２４ａと、主板２４ａの下方で主板２４ａと略同軸に配置される環状のシュラウド２４ｂと、シュラウド２４ｂと主板２４ａとを連結する複数の翼２４ｃとを備える。翼２４ｃは、主板２４ａの周方向に互いに間隔をあけて複数配置される。
【００２０】
室内熱交換器１７は、送風機１８の略全体を側方から囲うように、板状の熱交換器を平面視で略四角形状に折り曲げるようにして形成されている。
室内熱交換器１７は、冷房運転時には冷媒の蒸発器として機能し、暖房運転時には冷媒の蒸発器として機能する。室内熱交換器１７は、室内ユニット本体１４の内部に吸い込まれる室内の空気と冷媒との熱交換を行って、冷房運転時には空調室内の空気を冷却し、暖房運転時には室内の空気を加熱することができるように構成されている。
【００２１】
ドレンパン１９は、室内熱交換器１７で発生するドレン水を受けることができるように、室内熱交換器１７の下方に配置される。ドレンパン１９は発泡スチロール製である。
ドレンパン１９は、筐体１５の下面の開口の略全体を塞ぐように略矩形の板状に形成されている。ドレンパン１９は、平面視において中央部に、送風機１８に吸い込まれる空気が通るドレンパン側吸込み口２５（吸込み通路）を備える。また、ドレンパン１９は、ドレンパン側吸込み口２５の外側で、各パネル側吹出口３４に重なる位置に、被調和室へ吹き出される空気が通るドレンパン側吹出口２６を備える。ドレンパン側吹出口２６は、筐体１５の側板１５ａに沿って延びる長方形状に形成されている。
【００２２】
さらに、ドレンパン１９は、室内熱交換器１７の下端部が収容される凹状の熱交換器収容部２７を備える。熱交換器収容部２７は、ドレンパン側吹出口２６とドレンパン側吸込み口２５との間に形成されており、ドレンパン１９の外周部に沿って一周する水路状に形成されている。
熱交換器収容部２７は、室内熱交換器１７の内周部の下面に当接する受け面部２７ａと、受け面部２７ａの外側で受け面部２７ａよりも一段低く形成されたドレン水通路２７ｂとを備える。ドレン水通路２７ｂは、室内熱交換器１７の外周部の下面の下方に位置する。
天井埋込型室内ユニット１０は、ドレン水通路２７ｂ上に、ドレン水を排出するドレンポンプ２８を備える。
【００２３】
ドレン水通路２７ｂは、平面視では、室内熱交換器１７の下面に沿う四角形状に形成されている。ドレン水通路２７ｂは、その４つの角部の内の１か所に、ドレン水通路２７ｂの位置が最も高くなる最高地点２９Ｈを備える。また、ドレン水通路２７ｂは、最高地点２９ｈを備えた角部の隣の１か所の角部に、ドレン水通路２７ｂの位置が最も低くなる最低地点２９Ｌを備える。ドレンポンプ２８の吸い込み口は、最低地点２９Ｌに配置されている。
【００２４】
ドレン水通路２７ｂは、最高地点２９Ｈから隣の角部である最低地点２９Ｌまで下る第１の通路４１と、最高地点２９Ｈから他の２箇所の角部を経て最低地点２９Ｌまで下る第２の通路４２とを備える。
第２の通路４２は、第１の通路４１よりも緩い傾斜且つ第１の通路４１よりも長い経路で最高地点２９Ｈから最低地点２９Ｌまで下る。
ドレン水は、図３に破線の矢印で示されるように、第１の通路４１および第２の通路４２をそれぞれ通って高い位置から最低地点２９Ｌのドレンポンプ２８まで流れ、ドレンポンプ２８に吸い出されて外部に排出される。
【００２５】
ベルマウス２０は、内部に空気が通る筒状に形成されている。ベルマウス２０は、ドレンパン１９のドレンパン側吸込み口２５の上面に沿うように枠状に形成されて略水平に延びる水平部２０ａと、水平部２０ａの内周部から曲面状に上方に立ち上がる筒状の中央吸込み口２０ｂとを備える。ベルマウス２０は、ドレンパン１９よりも強度が高い樹脂で形成されている。
ベルマウス２０は、ドレンパン１９の中央のドレンパン側吸込み口２５に水平部２０ａが嵌合され、ドレンパン１９に支持される。
また、ドレンパン１９の下面であってドレンパン側吸い込み口の周囲には、樹脂などからなる支持板７０が取り付けられている。
【００２６】
室内熱交換器１７、ドレンパン１９およびベルマウス２０で囲まれることで、筐体１５の内側には、送風機１８が収納される送風機室４３が形成される。また、室内熱交換器１７の外側面と筐体１５の側板１５ａの断熱部材１６との間には、室内熱交換器１７で熱交換された後の空気が通る送風路４４が形成されている。
天井埋込型室内ユニット１０が運転されると、送風機１８の回転によって、被調和室の空気がパネル側吸い込み口３１（図１）からベルマウス２０を経て送風機室４３に吸い込まれる。次いで、送風機室４３の空気は、送風機１８によって外側に送風され、室内熱交換器１７を通過する際に熱交換されて送風路４４に流れ、パネル側吹出口３４（図１）から被調和室に吹き出される。ドレンパン側吹出口２６は、送風路４４の一部を構成している。
【００２７】
天井埋込型室内ユニット１０は、天井埋込型室内ユニット１０の電子回路基板４５を収納する電装箱４６を備えている。電装箱４６は、平面視では、長方形状に形成されている。
図４に示すように、支持板７０には、電装箱４６の外形と同様の形状を有し電装箱４６を支持する電装箱支持用リブ７１が形成されている。電装箱支持用リブ７１は、ベルマウス２０の水平部２０ａの下方に位置し支持板７０の外辺とほぼ平行に延在する側面支持枠７２と、側面支持枠７２の端部から支持板７０の外方に向かって延在する端面支持枠７３と、支持板７０の内周面から側面支持枠７２に向かって延在する複数の補強リブ７４と、から構成されている。
また、側面支持枠７２の中央部分は、ベルマウス２０により吸い込まれる空気の流れを阻害しないように、ベルマウス２０の中央吸込み口２０ｂに沿って弧状に形成されている。側面支持枠７２および端面支持枠７３の一部は、電装箱４６の高さとほぼ同様の高さを有するように形成されている。
【００２８】
そして、補強リブ７４と支持板７０の下面とにより電装箱４６の上面を支持するとともに、側面支持枠７２および端面支持枠７３により電装箱４６の周囲を支持するように構成されている。
この状態で、電装箱４６は、その長手方向が、長方形状のドレンパン側吹出口２６に沿うように、ドレンパン側吹出口２６と略平行に配置されている。また、電装箱４６は、平面視において、第１の通路４１よりも室内ユニット本体１４の内側で、第１の通路４１に沿うように配置されている。
【００２９】
また、電装箱４６は、長手方向の一端部４６ａがドレン水通路２７ｂの最高地点２９Ｈの下方に位置しており、平面視では、最高地点２９Ｈに重なっている。詳細には、ドレンパン１９において電装箱４６が配置される部分は、電装箱４６の収納空間を確保するために、その下面を上方に窪ませて形成されている。このため、この部分では、ドレンパン１９の板厚を確保することが難しくなるが、本実施の形態では、電装箱４６の収納空間の上方をドレン水通路２７ｂの最高地点２９Ｈにしたため、ドレンパン１９の板厚を十分に確保することができる。
【００３０】
図６は、電装箱部分の斜視図である。
電装箱４６は、図６において、金属などからなる箱体として形成されている。電装箱４６の内側には、例えば、樹脂などからなる電装板８０が収容されている。電装板８０の一側は、部品部８１とされており、電装箱４６の他側は、端子部８２とされている。
電装板８０の部品部８１の上面には、所定の電子部品が搭載された電子回路基板８３が取り付けられている。また、端子部８２の上面には、電源端子８４および信号端子８５がそれぞれ取り付けられている。ドレンパン１９の端子部８２より外側部分には、外部電源端子８６および外部信号端子８７がそれぞれ設けられている。電源端子８４は、外部電源端子８６に向かってわずかに傾斜して配置されている。
【００３１】
電子回路基板８３には、各種電気・電子部品が搭載されるものであるが、通常は、スイッチングトランス８８が搭載されるものである。スイッチングトランス８８は、ノイズが発生しやすいことから、その近くには信号配線９０を配線することができない。
そのため、本実施形態においては、スイッチングトランス８８は、電子回路基板８３の一側（外側）に配置するようにしており、電子回路基板８３の他側に信号配線９０を配置するようにしている。
電装板８０のベルマウス２０側には、先端部に爪９２が形成された係止部材９３が所定間隔をもって立設されている。そして、これら係止部材９３により、信号配線９０をスイッチングトランス８８から離れた側に保持することができるようにしている。
【００３２】
また、支持板７０には、側面支持枠７２と支持板７０の外縁とを結ぶ電源線用リブ９４および信号線用リブ９５がそれぞれ立設されている。
ドレンパン１９の上方のファンモータ２３などに接続される電源配線９１は、ドレンパン１９を貫通して電源線用リブ９４に案内されて電子回路基板８３の電源コネクタ（図示せず）に接続される。電子回路基板８３の電源配線９１は、電源端子８４に接続されている。
一方、各種センサなどの信号配線９０は、同様にドレンパン１９を貫通して電源線用リブ９４と信号線用リブ９５との間で案内されて電子回路基板８３の信号コネクタ（図示せず）に接続される。信号配線９０は、前述のように電子回路基板８３のスイッチングトランス８８の反対側に係止部材９３で保持される。電子回路基板８３の信号配線９０は、信号端子８５に接続される。
このように本実施形態においては、電源配線９１と信号配線９０とを可能な限り分離した状態で、配線することができ、信号配線９０が電源配線９１によりノイズの影響を受けることを防止することができる。
また、電源端子８４および信号端子８５をまとめて設置するとともに、これら電源端子８４および信号端子８５の近傍に外部電源端子８６および外部信号端子８７を設置するようにしているので、配線作業を効率よく行うことができる。
【００３３】
図７は、図３のＶ−Ｖ断面図である。
図５および図７に示すように、ドレンパン１９は、熱交換器収容部２７およびドレンパン側吹出口２６が設けられる枠状のドレンパン本体部４８と、ドレンパン本体部４８の内周部の上部から中央のベルマウス２０側に延びる薄板状のベルマウス支持部４９とを備える。  ベルマウス支持部４９の板厚は、ドレンパン本体部４８の板厚よりも小さく形成されている。ドレンパン側吸込み口２５は、ベルマウス支持部４９の内周部が形成する開口部である。ドレンパン本体部４８の上面とベルマウス支持部４９の上面とは略面一に形成されており、ベルマウス支持部４９が薄板状であるため、ドレンパン本体部４８の内側方でベルマウス支持部４９の下方には、空間Ｋが形成されている。
【００３４】
ベルマウス２０の水平部２０ａは、ドレンパン１９のベルマウス支持部４９の上面と略面一な面一部５０と、面一部５０の外側に位置し、ベルマウス支持部４９の下面を下方から覆う取付部５１とを備える。取付部５１は、ベルマウス支持部４９の下面に取り付けられる。
面一部５０は、下方に突出する筒状部を備え、この筒状部の内周部は、送風機室４３と空間Ｋとを連通させる開口５２となっている。
【００３５】
図３、図５、図７に示すように、室内ユニット本体１４は、ドレンパン１９の下方に、静電霧化装置６０を備える。静電霧化装置６０は、帯電微粒子水を含むミストを発生させることで、空気中のウイルス、カビ、アレルギーの原因となる物質、および、菌などを抑制したり、空気を脱臭したりすることができる。帯電微粒子水は、除菌作用や脱臭作用などを発揮するラジカルなどの有効成分を含んでいる。
静電霧化装置６０は、供給される水分に放電して帯電微粒子水を含むミストを生成する放電部６１と、放電部６１に印加する高電圧を発生させる電源回路（不図示）と、放電部６１および前記電源回路などを収納する箱型のケース６２（本体部）と、ケース６２内に吸い込んだ空気を排出する吹き出し部６３とを備える。
【００３６】
ケース６２の上面には、ケース６２内への空気の吸込み口６４が設けられている。吸込み口６４は、上方に延びる管状に形成されており、ベルマウス２０の面一部５０の開口５２に接続される。
静電霧化装置６０は、ドレンパン１９の下方で化粧パネル３０の上方に配置される。すなわち、静電霧化装置６０は、ドレンパン１９と化粧パネル３０との間の空間に配置される。
詳細には、静電霧化装置６０のケース６２は、ベルマウス支持部４９の下方且つドレンパン本体部４８の内側方に位置し、空間Ｋに配置されている。
静電霧化装置６０の吹き出し部６３は、ケース６２の外側面部から外側に延びるチューブ状に形成されている。吹き出し部６３の外端部には、送風路４４に開口する吹き出し口６３ａが形成されている。
【００３７】
ドレンパン本体部４８は、ドレン水通路２７ｂの第２の通路４２に略直角に交差する溝部４８ａを下面に備え、静電霧化装置６０の吹き出し部６３は、溝部４８ａを通って送風路４４に引き出される。このように、第１の通路４１よりも緩い傾斜の第２の通路４２の下方に吹き出し部６３を通すため、ドレン水通路２７ｂが吹き出し部６３の配置の邪魔になり難い。このため、吹き出し部６３を通すのに十分な深さの溝部４８ａを設けることができる。
吹き出し口６３ａは、ドレンパン側吹出口２６の下部に開口している。吹き出し部６３は、図５の側面視では、ケース６２側の出口から吹き出し口６３ａまで下るように配置されている。
【００３８】
送風機１８により送風される空気は、図７の矢印のように流れる。送風機１８によって送風機室４３に吸い込まれた空気の大部分は、室内熱交換器１７を通り、室内熱交換器１７で熱交換され、送風路４４およびパネル側吹出口３４を通って、被調和室に吹き出される。本実施の形態では、ベルマウス２０の水平部２０ａの面一部５０が、ドレンパン１９のベルマウス支持部４９に略面一であるため、ベルマウス２０の中央吸込み口２０ｂに沿って室内熱交換器１７に流れる空気をスムーズに流すことができ、効率良く熱交換することができる。また、ベルマウス２０の中央吸込み口２０ｂに沿う空気を、面一部５０の開口５２に効率良く流すことができる。
送風機室４３の空気の一部は、送風機１８に押されるようにしてベルマウス２０の開口５２に流れ、吸込み口６４から静電霧化装置６０のケース６２内に入り、ケース６２内で帯電微粒子水を含むミストが混ざる。このミストが混ざった空気は、送風機１８の送風力によって吹き出し部６３に流され、吹き出し口６３ａから送風路４４を流れる空気に合流する。このように、送風路４４を流れる空気に、送風機１８の送風力によってミストが混ざった空気を混ぜることができるため、ミストを含む空気を被調和室に効率良く行き渡らせることができる。
【００３９】
また、静電霧化装置６０のケース６２がドレンパン１９の下方の空間Ｋに配置されるため、空いたスペースを有効利用して静電霧化装置６０をコンパクトに設けることができる。さらに、静電霧化装置６０は、ベルマウス２０の中央吸込み口２０ｂの外側で空間Ｋに位置するため、中央吸込み口２０ｂを通って送風機室４３に吸い込まれる空気の流れをほとんど妨げない。このため、静電霧化装置６０をコンパクトに配置しながら、送風機室４３に効率良く空気を吸い込むことができる。
また、静電霧化装置６０が化粧パネル３０で覆われるため、静電霧化装置６０を簡単な構造で被調和室側から隠すことができる。
【００４０】
以上説明したように、本実施形態においては、箱型の筐体１５の内部に、送風機１８と、当該送風機１８を囲む室内熱交換器１７と、当該室内熱交換器１７を下方から覆うドレンパン１９とを備え、ドレンパン１９の中央の吸込み通路から吸い込んだ空気を室内熱交換器１７で熱交換し、室内熱交換器１７の下流の送風路を通して吹き出す天井埋込型室内ユニットにおいて、ドレンパン１９の下面に支持板７０を設置し、支持板７０は、電装箱４６を支持する電装箱支持用リブ７１を備えている。
これによれば、電装箱支持用リブ７１により電装箱４６の位置決めを行うことができ、電装箱４６の設置作業を効率よく行うことができる。
【００４１】
また、本実施形態においては、支持板７０は、ドレンパン１９を貫通した電源配線９１および信号配線９０を電装箱４６に案内する電源線用リブ９４および信号線用リブ９５をそれぞれ備えている。
これによれば、電源線用リブ９４および信号線用リブ９５により、電源配線９１および信号配線９０を分離した状態で案内することができ、電源配線９１により信号配線９０がノイズの影響を受けることを防止することができる。
【００４２】
また、本実施形態においては、電装箱４６の内側には電装板８０が収容され、電装板８０は、仕切板で仕切られた電子回路基板８３が取り付けられる部品部８１と、電源端子８４および信号端子８５が設置される端子部８２とを備えている。
これによれば、電装板８０の端子部８２に電源端子８４および信号端子８５をまとめて設置するようにしているので、配線作業を効率よく行うことができる。
【００４３】
また、本実施形態においては、端子部８２の近傍に、外部電源端子８６および外部信号端子８７がそれぞれ配置されている。
これによれば、端子部８２の近傍に外部電源端子８６および外部信号端子８７を配置しているので、電源端子８４および信号端子８５と、外部電源端子８６および外部信号端子８７との接続作業を効率よく行うことができる。
【００４４】
また、本実施形態においては、電子回路基板８３の一側に、スイッチングトランス８８が配置され、電子回路基板８３の他側に信号配線９０が配置されている。
これによれば、ノイズを発生しやすいスイッチングトランス８８を電子回路基板８３の一側に設置し、その反対側に信号配線９０を配置するようにしているので、信号配線９０がスイッチングトランス８８によるノイズの影響を受けることを防止することができる。
【００４５】
また、本実施形態においては、電装板８０の信号配線９０の配置側に、信号配線９０を保持する係止部材９３が設けられている。
これによれば、係止部材９３により、スイッチングトランス８８の反対側に信号配線９０を保持することができる。
【００４６】
また、本実施形態においては、ドレンパン１９は、ドレン水通路２７ｂの位置が最も高くなる最高地点２９Ｈと、当該ドレン水通路２７ｂの位置が最も低くなる最低地点２９Ｌとを備え、ドレン水通路２７ｂの最高地点２９Ｈに対応する位置に、電装箱４６が配置されている。
これによれば、電装箱４６の配置箇所において、ドレンパン１９の板厚を確保することができ、電装箱４６の設置スペースを大きく確保することができる。
【００４７】
なお、実施形態に基づいて本発明を説明したが、本発明は本実施形態に限定されるものではない。あくまでも本発明の一実施態様を例示するものであるから、本発明の趣旨を逸脱しない範囲で任意に変更、および応用が可能である。
【符号の説明】
【００４８】
１０  天井埋込型室内ユニット
１５  筐体
１７  室内熱交換器
１８  送風機
１９  ドレンパン
２０  ベルマウス
２０ａ  水平部
２０ｂ  中央吸込み口
２５  ドレンパン側吸込み口（吸込み通路）
２７ｂ  ドレン水通路
３０  化粧パネル
４６  電装箱
６０  静電霧化装置
６１  放電部
７０  支持板
７１  電装箱支持用リブ
７２  側面支持枠
７３  端面支持枠
７４  補強リブ
８０  電装板
８１  部品部
８２  端子部
８３  電子回路基板
８４  電源端子
８５  信号端子
８６  外部電源端子
８７  外部信号端子
８８  スイッチングトランス
９０  信号配線
９１  電源配線
９３  係止部材
９４  電源線用リブ
９５  信号線用リブ
２９Ｈ  最高地点
２９Ｌ  最低地点
【図１】
0006653441.tif 000002
【図２】
0006653441.tif 000003
【図３】
0006653441.tif 000004
【図４】
0006653441.tif 000005
【図５】
0006653441.tif 000006
【図６】
0006653441.tif 000007
【図７】
0006653441.tif 000008